(57)【要約】【課題】良好な故障部品検出精度を有しかつ部品故障に起因するダウンタイムを削減し得る画像形成装置および画像形成プログラムを提供する。【解決手段】音を集音する集音部１０５と、負荷１６４，１６８，１６９を個別駆動する駆動制御部と、負荷１６４，１６８，１６９の故障診断の実行順序を決定する順序決定部と、を有し、前記実行順序は、駆動制御部による負荷１６４，１６８，１６９の個別駆動に起因して発生する音を、集音部１０５によって集音した結果に基づいて、決定される。【選択図】図３
2019197153.tif 000002
【特許請求の範囲】
【請求項１】
音を集音する集音部と、
複数の負荷を個別駆動する駆動制御部と、
前記複数の負荷の故障診断の実行順序を決定する順序決定部と、を有し、
前記実行順序は、前記駆動制御部による前記複数の負荷の個別駆動に起因して発生する音を、前記集音部によって集音した結果に基づいて、決定される、画像形成装置。
【請求項２】
前記音は、個別駆動される各負荷の駆動停止後の残響音を含んでおり、
前記実行順序は、前記残響音が消失したと見なされる範囲に含まれるまでの経過時間である残響音残存時間に基づいて、決定される、請求項１に記載の画像形成装置。
【請求項３】
前記実行順序は、各負荷の前記残響音残存時間と故障率とに基づいて、決定される、請求項２に記載の画像形成装置。
【請求項４】
前記残響音残存時間および前記故障率は、複数のグループに区分されてランク付けされており、
前記実行順序は、負荷間における前記残響音残存時間のランクおよび前記故障率のランクの比較結果に基づいて、決定される、請求項３に記載の画像形成装置。
【請求項５】
前記残響音残存時間および前記故障率は、定期的に更新される、請求項４に記載の画像形成装置。
【請求項６】
前記音は、個別駆動される各負荷の動作音を含んでおり、
前記画像形成装置は、
前記動作音を記憶する動作音記憶部と、
個別駆動される各負荷の故障していない場合の動作音である正常音を記憶する正常音記憶部と、
前記複数の負荷の前記故障診断を前記実行順序に従って実行する故障診断部と、をさらに有しており、
前記故障診断部は、前記動作音と前記正常音との差異によって故障の有無を判断する、請求項２〜５のいずれか１項に記載の画像形成装置。
【請求項７】
前記画像形成装置の異常を検出して、前記異常の種類を区別するための異常コードを決定する異常コード決定部を、さらに有し、
前記異常コードは、前記複数の負荷に関連付けられている、請求項６に記載の画像形成装置。
【請求項８】
前記故障診断部は、前記故障診断が実行された負荷に係る前記残響音残存時間の経過後、次の故障診断に係る負荷に対する動作開始指示を実行する、請求項６又は請求項７に記載の画像形成装置。
【請求項９】
前記複数の負荷は、動作開始指示から駆動が安定するまでの期間である起動時間を有し、
前記故障診断部は、前記故障診断を実行している負荷に係る前記残響音残存時間が経過する時点の所定時間前に、次の故障診断に係る負荷に対する動作開始指示を実行し、
前記所定時間は、前記起動時間に基づいて決定される、請求項６又は請求項７に記載の画像形成装置。
【請求項１０】
前記複数の負荷に含まれる第１の負荷に係る前記音を集音する第１の集音部と、
前記複数の負荷に含まれる第２の負荷に係る前記音を集音する第２の集音部と、を有し、
前記故障診断部は、前記第１の集音部によって集音される前記音と前記第２の集音部によって集音される前記音とが相互に影響しない場合、前記第１の負荷の前記故障診断および前記第２の負荷の前記故障診断を同時に実行する、請求項６〜９のいずれか１項に記載の画像形成装置。
【請求項１１】
前記集音部によって前記音を集音するタイミングを、ユーザーが指示するための入力部を、さらに有する、請求項１〜１０のいずれか１項に記載の画像形成装置。
【請求項１２】
集音部と、駆動制御部と、順序決定部と、を有する画像形成装置を制御するための画像形成プログラムであって、
前記集音部によって音を集音する集音手順と、
前記駆動制御部によって複数の負荷を個別駆動する駆動手順と、
前記順序決定部によって前記複数の負荷の故障診断の実行順序を決定する順序決定手順と、を有する処理を、前記画像形成装置に実行させ、
前記順序決定手順においては、前記駆動手順による前記複数の負荷の個別駆動に起因して発生する音を、前記集音手順によって集音した結果に基づいて、前記実行順序が決定される、画像形成プログラム。
【発明の詳細な説明】
【技術分野】
【０００１】
本発明は、画像形成装置および画像形成プログラムに関する。
【背景技術】
【０００２】
画像形成装置の故障が検出された場合、サービスマンは、故障部品候補を駆動させた際に発生する動作音（駆動音）に基づいて、故障部品を特定している。しかし、疑うべき故障箇所（部品）が多い場合、確認回数が増えるため、画像形成装置の稼動していない時間であるダウンタイムを削減することが困難であった。
【０００３】
そのため、故障部品候補を順次駆動させ、その動作音と故障していない場合の動作音である正常音との差異に基づいて、故障部品を特定する故障診断を実行する画像形成装置が提案されている（例えば、特許文献１参照。）。
【先行技術文献】
【特許文献】
【０００４】
【特許文献１】特開２００８−３０４８７２号公報
【発明の概要】
【発明が解決しようとする課題】
【０００５】
しかし、故障部品候補の動作は、周辺環境と共鳴あるいは共振を引起し、動作音と異なる音を発生させる問題を有している。この音は、故障部品候補の動作が停止した後においても、引き続いて聞こえる。つまり、動作音が停止した後において、残響音が存在する。
【０００６】
しかし、動作音と正常音との正確な比較のため（故障部品検出精度を確保するため）には、雑音が少ない環境が好ましいため、残響音が消失した後で、次の故障部品候補の故障診断を実行する必要がある。その結果、故障部品の特定に時間を要し、ダウンタイムが増加する。
【０００７】
本発明は、上記従来技術に伴う課題を解決するためになされたものであり、良好な故障部品検出精度を有しかつ部品故障に起因するダウンタイムを削減し得る画像形成装置および画像形成プログラムを提供することを目的とする。
【課題を解決するための手段】
【０００８】
本発明の上記目的は、下記の手段によって達成される。
【０００９】
（１）音を集音する集音部と、
複数の負荷を個別駆動する駆動制御部と、
前記複数の負荷の故障診断の実行順序を決定する順序決定部と、を有し、
前記実行順序は、前記駆動制御部による前記複数の負荷の個別駆動に起因して発生する音を、前記集音部によって集音した結果に基づいて、決定される、画像形成装置。
【００１０】
（２）前記音は、個別駆動される各負荷の駆動停止後の残響音を含んでおり、
前記実行順序は、前記残響音が消失したと見なされる範囲に含まれるまでの経過時間である残響音残存時間に基づいて、決定される、前記（１）に記載の画像形成装置。
【００１１】
（３）前記実行順序は、各負荷の前記残響音残存時間と故障率とに基づいて、決定される、前記（２）に記載の画像形成装置。
【００１２】
（４）前記残響音残存時間および前記故障率は、複数のグループに区分されてランク付けされており、
前記実行順序は、負荷間における前記残響音残存時間のランクおよび前記故障率のランクの比較結果に基づいて、決定される、前記（３）に記載の画像形成装置。
【００１３】
（５）前記残響音残存時間および前記故障率は、定期的に更新される、前記（４）に記載の画像形成装置。
【００１４】
（６）前記音は、個別駆動される各負荷の動作音を含んでおり、
前記画像形成装置は、
前記動作音を記憶する動作音記憶部と、
個別駆動される各負荷の故障していない場合の動作音である正常音を記憶する正常音記憶部と、
前記複数の負荷の前記故障診断を前記実行順序に従って実行する故障診断部と、をさらに有しており、
前記故障診断部は、前記動作音と前記正常音との差異によって故障の有無を判断する、前記（２）〜（５）のいずれか１項に記載の画像形成装置。
【００１５】
（７）前記画像形成装置の異常を検出して、前記異常の種類を区別するための異常コードを決定する異常コード決定部を、さらに有し、
前記異常コードは、前記複数の負荷に関連付けられている、前記（６）に記載の画像形成装置。
【００１６】
（８）前記故障診断部は、前記故障診断が実行された負荷に係る前記残響音残存時間の経過後、次の故障診断に係る負荷に対する動作開始指示を実行する、前記（６）又は前記（７）に記載の画像形成装置。
【００１７】
（９）前記複数の負荷は、動作開始指示から駆動が安定するまでの期間である起動時間を有し、
前記故障診断部は、前記故障診断を実行している負荷に係る前記残響音残存時間が経過する時点の所定時間前に、次の故障診断に係る負荷に対する動作開始指示を実行し、
前記所定時間は、前記起動時間に基づいて決定される、前記（６）又は前記（７）に記載の画像形成装置。
【００１８】
（１０）前記複数の負荷に含まれる第１の負荷に係る前記音を集音する第１の集音部と、
前記複数の負荷に含まれる第２の負荷に係る前記音を集音する第２の集音部と、を有し、
前記故障診断部は、前記第１の集音部によって集音される前記音と前記第２の集音部によって集音される前記音とが相互に影響しない場合、前記第１の負荷の前記故障診断および前記第２の負荷の前記故障診断を同時に実行する、前記（６）〜（９）のいずれか１項に記載の画像形成装置。
【００１９】
（１１）前記集音部によって前記音を集音するタイミングを、ユーザーが指示するための入力部を、さらに有する、前記（１）〜（１０）のいずれか１項に記載の画像形成装置。
【００２０】
（１２）集音部と、駆動制御部と、順序決定部と、を有する画像形成装置を制御するための画像形成プログラムであって、
前記集音部によって音を集音する集音手順と、
前記駆動制御部によって複数の負荷を個別駆動する駆動手順と、
前記順序決定部によって前記複数の負荷の故障診断の実行順序を決定する順序決定手順と、を有する処理を、前記画像形成装置に実行させ、
前記順序決定手順においては、前記駆動手順による前記複数の負荷の個別駆動に起因して発生する音を、前記集音手順によって集音した結果に基づいて、前記実行順序が決定される、画像形成プログラム。
【発明の効果】
【００２１】
本発明に係る画像形成装置および画像形成プログラムによれば、故障診断の実行順は、負荷の個別駆動に起因して発生する音（残響音）を集音した結果に基づいて、決定される。そのため、故障部品検出精度を低下させることなく、故障診断を迅速に実行することができる。したがって、良好な故障部品検出精度を有しかつ部品故障に起因するダウンタイムを削減し得る画像形成装置および画像形成プログラムを提供することが可能である。
【図面の簡単な説明】
【００２２】
【図１】本発明の実施の形態に係る画像形成装置の適用例を説明するための概略図である。
【図２】図１に示される画像形成装置を説明するための断面図である。
【図３】図２に示される定着部およびマイクロフォンを説明するための断面図である。
【図４】マイクロフォンによって集音される音を説明するための概略図である。
【図５】図３に示される異常コード表１１４を説明するための概略図である。
【図６】図３に示される実行順序表１１５を説明するための概略図である。
【図７】図３に示される故障率ランク表１１６を説明するための概略図である。
【図８】図３に示される残響音残存時間ランク表１１７を説明するための概略図である。
【図９】図３に示される正常音データに係る故障診断を説明するためのブロック図である。
【図１０】本発明の実施の形態に係る画像形成プログラムが適用される画像形成方法を説明するためのフローチャートである。
【図１１】図１０に示される残響音測定処理（ステップＳ１１）を説明するためのフローチャートである。
【図１２】残響音測定処理（ステップＳ１１）後の実行順序表を説明するための概略図である。
【図１３】図１０に示される実行順序決定処理（ステップＳ１５）を説明するためのフローチャートである。
【図１４】実行順序決定処理（ステップＳ１５）後の実行順序表を説明するための概略図である。
【図１５】図１０に示される故障診断処理（ステップＳ１９）を説明するためのフローチャートである。
【図１６】図１０に示される故障診断処理（ステップＳ１９）を説明するための概略図である。
【図１７】本発明の実施の形態に係る変形例１を説明するためのフローチャートである。
【図１８】本発明の実施の形態に係る変形例２を説明するための概略図である。
【図１９】本発明の実施の形態に係る変形例３を説明するための断面図である。
【図２０】本発明の実施の形態に係る変形例３を説明するための概略図である。
【発明を実施するための形態】
【００２３】
以下、本発明の実施の形態を、図面を参照しつつ説明する。なお、図面の寸法比率は、説明の都合上誇張されており、実際の比率とは異なる場合がある。
【００２４】
図１は、本発明の実施の形態に係る画像形成装置の適用例を説明するための概略図である。
【００２５】
図１に示される画像形成装置１００は、例えば、コピー機能、プリンター機能およびスキャン機能を有するＭＦＰ（Ｍｕｌｔｉ−Ｆｕｎｃｔｉｏｎ  Ｐｅｒｉｐｈｅｒａｌ）であり、ネットワーク７００（およびアクセスポイント６００）を経由し、コンピューター４００、遠隔管理サーバー４５０および情報端末５００に、接続されている。画像形成装置１００は、後述するように、異常が検出された場合、異常に関連付けられている故障部品候補に対する故障診断の実行順序を決定し、そして、当該実行順序に従って故障診断を実行するように構成されている。
【００２６】
コンピューター４００は、例えば、印刷ジョブを作成し、画像形成装置１００に送信するために使用される。印刷ジョブは、例えば、ＰＤＬ（Ｐａｇｅ  Ｄｅｓｃｒｉｐｔｉｏｎ  Ｌａｎｇｕａｇｅ）形式の印刷データおよび印刷設定データを含んでいる。
【００２７】
遠隔管理サーバー４５０は、画像形成装置１００を遠隔管理するために使用され、例えば、画像形成装置１００の交換部品などを保持する遠隔管理センターに設置される。遠隔管理サーバー４５０は、画像形成装置１００を構成する部品の情報、画像形成装置１００の異常コードに関連付けられる駆動源（負荷）の情報、画像形成装置１００の保守を担当するサービスマンの情報などを保持している。遠隔管理サーバー４５０は、例えば、画像形成装置１００の異常コードに基づくサービスマンに対する出動要請や故障部品名の連絡、画像形成装置１００に対する印刷ジョブの送信などを実行する。
【００２８】
情報端末５００は、画像形成装置１００のサービスマンによって携帯されるモバイル端末であり、無線ＬＡＮ機能を有する。無線ＬＡＮの方式は、例えば、ＩＥＥＥ８０１．１１である。モバイル端末は、例えば、専用端末、携帯電話、スマートフォン、タブレットコンピューター、ラップトップコンピューターである。なお、符号５１０は、遠隔管理サーバー４５０からのデータを表示するための表示部である。
【００２９】
アクセスポイント６００は、ネットワーク７００に配置されている無線の送受信機である。情報端末５００は、例えば、無線ＬＡＮのインフラストラクチャーモードを利用することによって、アクセスポイント６００を経由して、遠隔管理サーバー４５０と通信可能である。
【００３０】
ネットワーク７００は、イーサネット（登録商標）、トークンリング、ＦＤＤＩ（Ｆｉｂｅｒ−Ｄｉｓｔｒｉｂｕｔｅｄ  Ｄａｔａ  Ｉｎｔｅｒｆａｃｅ）などの規格によりコンピューターやネットワーク機器同士を接続する構内情報通信網（ＬＡＮ：Ｌｏｃａｌ  Ａｒｅａ  Ｎｅｔｗｏｒｋ）、ＬＡＮ同士を専用線で接続した広域情報通信網（ＷＡＮ：Ｗｉｄｅ  Ａｒｅａ  Ｎｅｔｗｏｒｋ）、インターネット、これらの組合せなどの各種のネットワークからなる。ネットワークプロトコルは、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）である。ネットワーク７００に接続されている機器は、コンピューター４００、遠隔管理サーバー４５０、情報端末５００、アクセスポイント６００に限定されない。
【００３１】
次に、画像形成装置１００を詳述する。
【００３２】
図２は、図１に示される画像形成装置を説明するための断面図である。
【００３３】
画像形成装置１００は、例えば、受信した印刷ジョブから生成される画像データや、スキャンされた原稿画像データを使用して、記録媒体である用紙に画像を形成（印刷）するために使用され、図２に示されるように、マイクロフォン１０５、制御部１１０、記憶部１１２、画像読み取り部１２０、操作表示部１３０、画像形成部１４０、転写部１５０、定着部１６０、用紙搬送部１７０および通信インターフェース１８０を有する。
【００３４】
マイクロフォン１０５は、画像形成装置１００内部の音を集音する集音部であり、集音された音は、故障診断に使用される。マイクロフォン１０５は、画像形成装置１００内部に配置する形態に限定されず、例えば、画像形成装置１００の外側に配置することも可能である。
【００３５】
制御部１１０は、プログラムに従って上記各部の制御や各種の演算処理を実行するマイクロプロセッサー（ＣＰＵ：Ｃｅｎｔｒａｌ  Ｐｒｏｃｅｓｓｉｎｇ  Ｕｎｉｔ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等から構成される制御回路であり、画像形成装置１００の各機能は、それに対応するプログラムを制御部１１０が実行することにより発揮される。なお、制御部１１０は、後述するように、駆動制御部、順序決定部、動作音記憶部、正常音記憶部、異常コード決定部、故障診断部を有しており、画像形成装置の異常が検出された場合、故障部品候補に対する故障診断の実行順序を決定し、そして、当該実行順序に従って故障診断を実行するように構成されている。
【００３６】
記憶部１１２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびＨＤＤ（Ｈａｒｄ  Ｄｉｓｋ  Ｄｒｉｖｅ）が適宜組み合わされて構成されている。ＲＯＭは、各種プログラムおよび各種データを保存する読み取り専用の記憶装置である。ＲＡＭは、作業領域として一時的にプログラムおよびデータを記憶する高速のランダムアクセス記憶装置である。ＨＤＤは、各種プログラムや各種データを保存する大容量のランダムアクセス記憶装置である。
【００３７】
画像読み取り部１２０は、原稿の画像データを生成するために使用され、光源１２２、光学系１２４および撮像素子１２６を有する。光源１２２は、読取面１２８に載置された原稿に対して光を照射し、その反射光は、光学系１２４を経由し、読み取り位置に移動した撮像素子１２６に結像される。撮像素子１２６は、例えば、ラインイメージセンサからなり、反射光強度に応じて電気信号を生成する（光電変換する）。生成された電気信号は、画像処理後、画像形成部１４０に入力される。画像処理は、Ａ／Ｄ変換、シェーディング補正、フィルター処理、画像圧縮処理等である。画像読み取り部１２０は、例えば、ＡＤＦ（Ａｕｔｏ  Ｄｏｃｕｍｅｎｔ  Ｆｅｅｄｅｒ）を有することも可能である。
【００３８】
操作表示部１３０は、例えば、タッチパネルおよび物理キーボードから構成され、出力手段および入力手段を兼ねている。タッチパネルは、機器構成、プリントジョブの進行状況、用紙ジャムの発生状況、現在変更可能な設定、故障診断における警告および通知などを、ユーザーに知らせるために使用される。ユーザーは、画像形成装置１００のサービスマンを含んでいる。
【００３９】
物理キーボードは、用紙Ｐのサイズを指定する選択キー、コピー枚数等を設定するテンキー、動作の開始を指示するスタートキー、動作の停止を指示するストップキー等からなる複数のキーを有する。物理キーボードは、文字入力、各種設定、スタート指示等の各種指示（入力）を、ユーザーが実行するめに利用される。なお、タッチパネルに設けられる仮想キーボードを利用することによって、物理キーボードを適宜省略することも可能である。また、タッチパネルの代わりに、位置入力装置を有しない液晶ディスプレイを適用することも可能である。
【００４０】
画像形成部１４０は、電子写真プロセスを利用し、用紙Ｐに画像を形成するために使用され、イエロー（Ｙ）色の画像を形成する画像形成ユニット１４０Ａ、マゼンタ（Ｍ）色の画像を形成する画像形成ユニット１４０Ｂ、シアン（Ｃ）色の画像を形成する画像形成ユニット１４０Ｃ、黒（Ｋ）色の画像を形成する画像形成ユニット１４０Ｄを有する。
【００４１】
画像形成部１４０の各ユニットは、現像装置１４１、感光体ドラム１４２、帯電部１４３、光書込部１４５およびクリーニング部１４８をそれぞれ有する。
【００４２】
現像装置１４１は、感光体ドラム１４２上に形成された静電潜像を現像し、トナーによって可視化するものであり、画像形成ユニット１４０Ａ、１４０Ｂ、１４０Ｃおよび１４０Ｄの感光体ドラム１４２には、イエロー色、マゼンタ色、シアン色および黒色に対応するモノクロのトナー画像が、それぞれ形成される。
【００４３】
感光体ドラム１４２は、有機光導電体（ＯＰＣ：Ｏｒｇａｎｉｃ  Ｐｈｏｔｏ  Ｃｏｎｄｕｃｔｏｒ）を含むポリカーボネイト等の樹脂からなる感光層を有する像担持体であり、所定の速度で回転するように構成されている。帯電部１４３は、感光体ドラム１４２の周囲に配置されるコロナ放電極からなり、生成されるイオンによって感光体ドラム１４２の表面を帯電させる。
【００４４】
光書込部１４５は、走査光学装置が組み込まれており、ラスターイメージデータに基づいて、帯電された感光体ドラム１４２を露光することにより、露光された部分の電位を低下させ、画像データに対応する電荷パターン（静電潜像）を形成する。
【００４５】
クリーニング部１４８は、感光体ドラム１４２の表面に残留したトナーなどの残留物を掻き取る（除去する）ことにより、感光体ドラム１４２の表面状態を良好に維持するために使用される。
【００４６】
転写部１５０は、中間転写ベルト１５１、１次転写部１５３および２次転写部１５４を有する。中間転写ベルト１５１は、１次転写部１５３および複数のローラーにより巻回され、走行可能に支持されている。１次転写部１５３は、イエロー色、マゼンタ色、シアン色および黒色に対応する１次転写モジュール１５３Ａ、１５３Ｂ、１５３Ｃおよび１５３Ｄからなる。２次転写部１５４は、中間転写ベルト１５１の外側に配置され、中間転写ベルト１５１との間を、用紙Ｐが通過可能に位置決めされている。
【００４７】
画像形成ユニット１４０Ａ〜１４０Ｄにおいて形成された各色のトナー画像は、１次転写モジュール１５３Ａ〜１５３Ｄにより、中間転写ベルト１５１上に逐次転写され、イエロー色、マゼンタ色、シアン色および黒色の各層が重畳したカラーのトナー画像が形成される。形成されたトナー画像は、２次転写部１５４によって紙Ｐに転写される。
【００４８】
定着部１６０は、用紙Ｐに転写されたトナー画像を定着するために使用される。例えば、用紙Ｐは、定着部１６０を通過する際、圧力および熱が加えられ、トナーが溶融することによって、トナー画像が定着する。
【００４９】
用紙搬送部１７０は、給紙部１７２、レジストローラー１７４、定着搬送ローラー１７５、排紙ローラー１７６および用紙反転部１７８を有する。
【００５０】
給紙部１７２は、用紙Ｐを収容している給紙トレイ１７２Ａ〜１７２Ｃ、送り出しローラー１７３Ａおよびさばきローラー１７３Ｂを有する。送り出しローラー１７３Ａおよびさばきローラー１７３Ｂは、給紙トレイ１７２Ａ〜１７２Ｃから用紙を一枚ずつ搬送経路に送り出す。
【００５１】
レジストローラー１７４は、給紙部１７２から給紙された用紙Ｐを、２次転写部１５４に搬送する。定着搬送ローラー１７５は、定着部１６０を通過した用紙Ｐを、排紙ローラー１７６に向かって搬送する。排紙ローラー１７６は、搬送されて来た用紙Ｐを装置外に排出する。
【００５２】
用紙反転部１７８は、定着搬送ローラー１７５を通過した用紙Ｐを、排紙ローラー１７６に向う搬送経路ではなく、給紙トレイ１７２Ａ〜１７２Ｃと排紙ローラー１７６との間の搬送経路に導入するために使用される。これにより、用紙Ｐの表裏を反転して排出、あるいは、用紙Ｐの両面に画像を形成することが可能である。
【００５３】
通信インターフェース１８０は、所謂ＬＡＮボードからなる拡張装置であり、ネットワーク７００（図１参照）を経由し、コンピューター４００、遠隔管理サーバー４５０および情報端末５００と、通信可能に接続している。
【００５４】
次に、定着部、マイクロフォン、制御部および記憶部を参照し、故障診断を説明する。
【００５５】
図３は、図２に示される定着部およびマイクロフォンを説明するための断面図、図４は、マイクロフォンによって集音される音を説明するための概略図、図５、図６、図７および図８は、図３に示される異常コード表１１４、実行順序表１１５、故障率ランク表１１６および残響音残存時間ランク表１１７を説明するための概略図、図９は、図３に示される正常音データに係る故障診断を説明するためのブロック図である。
【００５６】
定着部１６０は、図３に示されるように、定着ローラー１６２、加熱ローラー１６３、定着ベルト１６５、加圧ローラー１６７、および、モーター１６４，１６８，１６９を有する。
【００５７】
定着ローラー１６２は、回転自在に配置され、搬送される用紙Ｐにおけるトナー画像が形成されている表面に、相対するように位置決めされている。
【００５８】
加熱ローラー１６３は、ハロゲンヒーターからなる加熱部（不図示）を内蔵しており、回転自在に配置される。モーター１６４は、加熱ローラー１６３を回転駆動するように構成されている。加熱部は、用紙Ｐを加熱することによりトナー画像を定着させるための熱源である。加熱部は、ハロゲンヒーターによって構成される形態に限定されず、例えば、ＩＨ（誘導加熱）ヒーターや抵抗発熱体を適用することも可能である。
【００５９】
定着ベルト１６５は、定着ローラー１６２および加熱ローラー１６３に張架され、上方から用紙Ｐに接触するように構成されている。したがって、加熱部（加熱ローラー１６３）からの熱は、定着ベルト１６５を経由して、用紙Ｐに伝達されて、トナー画像を加熱する。
【００６０】
加圧ローラー１６７は、用紙Ｐの下方に位置し、回転自在に配置される。加圧ローラー１６７は、必要に応じ、加熱部を追加的（補足的）に配置することも可能である。モーター１６８は、加圧ローラー１６７を回転駆動するように構成されている。モーター１６９は、加圧ローラー１６７の位置を、圧着位置と定位置（ＨＰ：ホームポジション）との間で変更可能に構成されている。圧着位置は、加圧ローラー１６７が、定着ローラー１６２によって支持されている用紙Ｐを、押圧（圧着）する位置である。定位置は、用紙Ｐの搬送経路から離間しており、加圧ローラー１６７が用紙Ｐを押圧しない位置（圧着解除位置）である。
【００６１】
したがって、定着ベルト１６５と加圧ローラー１６７との間のニップ部を通過する用紙Ｐは、トナー画像を定着させるための温度および圧力が付加されることとなる。以下において、モーター１６４、モーター１６８およびモーター１６９は、加熱ローラー用モーター１６４、加圧ローラー用モーター１６８および加圧ローラー圧着解除用モーター１６９として、適宜参照する。
【００６２】
マイクロフォン１０５は、画像形成装置１００内部の音を集音し、電気信号に変換する。電気信号は、量子化およびサンプリングされて、デジタルデータに変換され、故障診断に利用される。
【００６３】
集音される音は、図３の例においては、加熱ローラー用モーター１６４、加圧ローラー用モーター１６８、加圧ローラー圧着解除用モーター１６９の個別駆動に起因して発生する音である。個別駆動に起因して発生する音は、図４に示されるように、モーターの駆動開始指示から駆動停止までの動作音や、モーターの駆動停止後の残響音である。
【００６４】
動作音は、モーターの駆動開始直後（立ち上がり期間）は不安定である。そのため、モーターの駆動が安定してから駆動停止までの期間（定常状態）の動作音が、故障診断に使用される。なお、モーターの駆動開始指示からモーターの駆動が安定（立ち上がり期間が終了）するまでの期間を、起動時間で参照する。
【００６５】
残響音は、モーターの動作（駆動）に起因する周辺環境との共鳴あるいは共振による音であり、動作音と異なり、モーターの駆動停止後においても、引き続いて聞こえる音である。なお、モーターの駆動停止から、残響音が消失したと見なされる範囲に含まれるまで（残響音が所定振幅以下になるまで）の経過時間を、残響音残存時間で参照する。
【００６６】
制御部１１０は、画像形成装置１００の故障が検出された場合、記憶部１１２に記憶されている画像形成プログラム１１３を実行する。
【００６７】
画像形成プログラム１１３は、記憶部１１２に記憶されている異常コード表１１４、実行順序表１１５、故障率ランク表１１６、残響音残存時間ランク表１１７、正常音データ１１８および動作音データ１１９を利用し、画像形成装置１００の異常の種類を区別するための異常コードを決定し、異常コードに関連付けられている駆動源が個別駆動される故障診断の実行順序を決定し、そして、当該実行順序に従って、故障診断を実行するように構成されている。つまり、画像形成プログラム１１３は、実行されることによって、異常コードを決定する異常コード決定部、駆動源を個別駆動する駆動制御部、故障診断の実行順序を決定する順序決定部、および、故障診断を実行順序に従って実行する故障診断部を構成している。
【００６８】
異常コード表１１４は、図５に示されるように、異常コードと関連駆動源とを関連付けたリストである。関連駆動源は、故障している可能性のある部品（故障部品候補）である。例えば、異常コードが、定着部用紙搬送異常である場合、関連駆動源として、加圧ローラー用モーター１６８、加圧ローラー圧着解除用モーター１６９、加熱ローラー用モーター１６４が関連付けられている。異常コード表１１４は、例えば、画像形成装置１００の部品構成が変更された結果、最新の状態でなくなった場合、最新のバーションを遠隔管理サーバーから受信して更新することも可能である。
【００６９】
実行順序表１１５は、図６に示されるように、個別駆動の対象となる故障部品候補毎に、個別駆動の動作内容、残響音残存時間［ｍｓ］、故障率［％］、ランク合計、個別駆動（故障診断）の実行順序および起動時間［ｍｓ］を関連付けたリストである。個別駆動の動作内容は、例えば、加圧ローラー用モーター１６８および加熱ローラー用モーター１６４は、１５００ｒｐｍでの回転駆動、加圧ローラー圧着解除用モーター１６９は、圧着位置から定位置へ移動するＨＰ動作である。
【００７０】
故障率は、異常コードに対する故障部品候補の相関度、故障部品候補の耐久回数、故障部品候補の交換率などから適宜決定される故障確率に対応している。故障率は、画像形成装置１００の使用に伴って、例えば、累積プリント枚数や経年劣化によって変化するため、定期的に更新することが好ましい。更新のタイミングは、例えば、定期メンテナンス時である。
【００７１】
ランク合計は、故障率ランクと残響音残存時間ランクの和である。故障率ランクは、図７に示される故障率ランク表１１６から取得され、残響音残存時間ランクは、図８に示される残響音残存時間ランク表１１７から取得される。
【００７２】
故障率ランク表１１６は、故障率とランク（故障率ランク）とを関連付けたリストであり、図７の例においては、故障率は、４つのグループに区分され、故障率の低い方から順に、ランクとして「０」、「１」、「２」および「５」が設定されている。つまり、故障確率が高い（故障している可能性が大きい）もののランクは、大きな値が設定されている。故障率のグループ（区分）数およびランク値は、上記例に限定されない。
【００７３】
残響音残存時間ランク表１１７は、残響音残存時間とランク（残響音残存時間ランク）とを関連付けたリストであり、図８の例においては、残響音残存時間は、３つのグループに区分され、残響音残存時間の長い方から順に、ランクとして「０」、「１」および「２」が設定されている。つまり、ノイズが大きくて故障診断ができない期間（残響音残存時間）が短いもののランクは、大きな値が設定されている。残響音残存時間のグループ（区分）数およびランク値は、上記例に限定されない。
【００７４】
個別駆動（故障診断）の実行順序は、残響音残存時間と故障率とに基づいて、決定される。本実施の形態においては、故障部品候補間における残響音残存時間のランクおよび前記故障率のランクの比較結果に基づいて、決定される。つまり、ランク合計が大きいものが優先される。例えば、故障している可能性が大きい故障部品候補の故障診断を先に実行することで、無駄なチェックが削減され、また、故障している可能性が同等であれば、故障診断ができない期間が短い故障部品候補を先に実行することで、故障診断時間が短縮化される。
【００７５】
正常音データ１１８は、画像形成装置１００の内部に配置される各駆動源の故障していない場合の動作音のデータである。動作音データ１１９は、駆動源に含まれる故障部品候補を個別駆動した際に集音（録音）される動作音のデータである。なお、正常音データ１１８および動作音データ１１９を記憶している記憶部１１２は、正常音記憶部および動作音記憶部を構成する。
【００７６】
正常音と動作音は、比較することによって、故障部品を特定するために使用される。つまり、正常音と動作音とが一致しない場合、故障していると判断される。正常音データ１１８は、出荷時に記憶させ、あるいは、例えば、新品の駆動源を取り付けた際に駆動させて、その動作音を、正常音として、記憶させることも可能である。
【００７７】
動作音と正常音との一致は、例えば、図９に示される音声認識方法を利用して実行される。なお、利用される音声認識方法は、以下の形態に限定されず、その他の音声認識方法を適宜適用することが可能である。
【００７８】
例えば、集音によりサンプリングされた動作音のデジタルデータは、スペクトルに変換される（動作音の波の信号が周波数領域に変換される）。これにより、動作音の波の周波数成分を分析することが可能となる。スペクトルにおいては、横軸が周波数であり、縦軸がレベルである。
【００７９】
そして、スペクトルから微細成分が除去され、スペクトル包絡が抽出され、スペクトル包絡の複数の周波数ピーク点（フォルマント）が抽出される。
【００８０】
その後、正常音（原音）と動作音（対象音）のフォルマント（周波数およびレベル）が比較され、特性が類似した場合に、一致している（同音である）と判断される。なお、レベルは、周波数の特異点である。特性は、例えば、レベルの比率である。特性の類似の一致は、閾値により定義される許容範囲に含まれるか否かによって判断される。
【００８１】
次に、本発明の実施の形態に係る画像形成プログラムが適用される画像形成方法を説明する。
【００８２】
図１０は、本発明の実施の形態に係る画像形成プログラムが適用される画像形成方法を説明するためのフローチャートである。なお、以下に示されるフローチャートにより示されるアルゴリズムは、画像形成プログラム１１３として記憶されており、制御部１１０によって実行される。
【００８３】
まず、残響音測定処理（ステップＳ１１）が実行される。残響音測定処理（ステップＳ１１）においては、画像形成装置１００の内部に配置される各駆動源の個別駆動に起因して発生する音（残響音）が、マイクロフォン１０５によって集音（録音）される。これにより、各駆動源の残響音が実行順序表１１５に登録される。実行順序表１１５に既に残響音が登録されている場合は、測定された残響音によって更新される。
【００８４】
その後、画像形成装置１００の異常が検出されると（ステップＳ１２：ＹＥＳ）、当該異常の種類を区別するための異常コードが自動的に決定される（ステップＳ１３）。異常コードは、自動的に決定される形態に限定されない。例えば、画像形成装置１００のユーザーが操作表示部１３０を使用して異常コードを手動で入力するように構成することも可能である。
【００８５】
そして、画像形成装置１００に含まれる駆動源の駆動が停止されると（ステップＳ１４）、実行順序決定処理（ステップＳ１５）が実行される。実行順序決定処理（ステップＳ１５）においては、残響音測定処理（ステップＳ１１）の結果に基づいて、異常コードに関連付けられる関連駆動源（故障部品候補）に対する故障診断の実行順序が決定され、実行順序表１１５に登録（更新）される。
【００８６】
そして、実行順序表１１５に基づいて、故障部品候補の個別駆動が開始され（ステップＳ１６）、マイクロフォン１０５による動作音の集音（録音）が開始される（ステップＳ１７）。この際、他の駆動源は駆動されていないため、他の駆動源の動作音の影響が抑制される。
【００８７】
その後、故障部品候補の動作音の集音が完了すると、故障部品候補の個別駆動が停止され（ステップＳ１８）、故障部品候補に対する故障診断処理が実行される（ステップＳ１９）。故障診断処理においては、動作音と正常音との差異によって故障の有無が判断される。これにより、故障であると判断された故障部品候補は、故障部品として登録される。
【００８８】
次に、故障部品の登録の有無が判断される（ステップＳ２０）。
【００８９】
故障部品が登録されている（故障部品候補が故障していた）と判断される場合（ＹＥＳ：ステップＳ２０）、故障部品が通知されて（ステップＳ２１）、プロセスは終了する。故障部品の通知は、操作表示部１３０を利用して実行される。例えば、操作表示部１３０のタッチパネルに、異常コードおよび故障部品名が表示される。なお、異常コードおよび故障部品名を、遠隔管理サーバー４５０やユーザーの情報端末５００に通知することも可能である。
【００９０】
故障部品が登録されていない（故障部品候補は正常である）と判断される場合（ＮＯ：ステップＳ２０）、次の故障部品候補の有無が判断される（ステップＳ２２）。
【００９１】
実行順序表１１５に次の故障部品候補が存在する場合（ＹＥＳ：ステップＳ２２）、プロセスは、ステップＳ２１に進み、次の故障部品候補の個別駆動が開始される。なお、次の故障部品候補の個別駆動は、先の故障部品候補の残響音の消失後に実行される。つまり、先の故障部品候補に係る残響音残存時間が経過した後で、次の故障部品候補に対する動作開始指示が実行される。これにより、次の故障部品候補の故障診断に対する先の故障部品候補の残響音の影響を排除し、故障診断の精度の低下を抑制することが可能である。
【００９２】
実行順序表１１５に次の故障部品候補が存在していない場合（ＮＯ：ステップＳ２２）、異常発生の誤検出である旨のメッセージが通知されて（ステップＳ２３）、プロセスは終了する。
【００９３】
なお、ステップＳ１２，Ｓ１３、ステップＳ１５およびステップＳ１９は、画像形成プログラム１１３の異常コード決定部、順序決定部および故障診断部に対応している。
【００９４】
次に、残響音測定処理（ステップＳ１１）を詳述する。
【００９５】
図１１は、図１０に示される残響音測定処理を説明するためのフローチャート、図１２は、残響音測定処理後の実行順序表を説明するための概略図である。
【００９６】
まず、画像形成装置１００の内部に配置される駆動源から測定対象部品が抽出される（ステップＳ１０２）。
【００９７】
その後、測定対象部品の個別駆動が開始され（ステップＳ１０２）、そして、所定時間経過後に停止される（ステップＳ１０３）。所定時間は、測定対象部品の起動時間より長く、かつ、定常状態が含まれるように適宜設定される。なお、ステップＳ１０２，Ｓ１０３は、画像形成プログラム１１３の駆動制御部に対応している。
【００９８】
次に、残響音が、マイクロフォン１０５によって集音（録音）される（ステップＳ１０４）。そして、残響音が消失すると残響音残存時間が決定されて、実行順序表１１５に登録（更新）される（ステップＳ１０６）。
【００９９】
そして、次の測定対象部品の有無が判断される（ステップＳ１０７）。
【０１００】
次の測定対象部品が存在する場合（ＹＥＳ：ステップＳ１０７）、プロセスは、ステップＳ１０２に進み、次の測定対象部品の個別駆動が開始される。一方、次の測定対象部品が存在していない場合（ＮＯ：ステップＳ１０７）、プロセスはリターンする。
【０１０１】
これにより、例えば図１２に示されるように、加圧ローラー用モーター、加圧ローラー圧着解除用モーターおよび加熱ローラー用モーターに対し、残響音残存時間［ｍｓ］として、「１５００」、「５００」および「５０」が登録される。
【０１０２】
残響音は、画像形成装置１００の使用に伴って、例えば、累積プリント枚数や経年劣化によって変化するため、残響音測定処理（ステップＳ１１）を別途実行し、残響音を定期的に更新することも可能である。更新のタイミングは、例えば、定期メンテナンス時である。また、画像形成装置１００の出荷前に、残響音測定処理を実行して決定された残響音残存時間を、デフォルトとて、実行順序表１１５に予め登録することも可能である。さらに、残響音測定処理を別途実行する際、定常状態の動作音を集音（録音）し、正常音として登録するように構成することも可能である。
【０１０３】
次に、実行順序決定処理（ステップＳ１５）を詳述する。
【０１０４】
図１３は、図１０に示される実行順序決定処理を説明するためのフローチャート、図１４は、実行順序決定処理後の実行順序表を説明するための概略図である。
【０１０５】
まず、異常コード表（図５）を参照し、異常コードに関連付けられる関連駆動源が、故障部品候補として抽出される（ステップＳ１２１）。
【０１０６】
そして、故障率ランク表（図７）および残響音残存時間ランク表（図８）を参照し、故障部品候補の故障率および残響音に対応する故障率ランクおよび残響音残存時間ランクが決定され（ランク付け）、実行順序表１１５に登録される（ステップＳ１２２およびＳ１２３）。図１２に示される例においては、加圧ローラー用モーターの故障率および残響音残存時間は、２５％および１５００ｍｓであるため、故障率ランクおよび残響音残存時間ランクは、「１」および「０」となる。加圧ローラー圧着解除用モーターの故障率および残響音残存時間は、２０％および５００ｍｓであるため、故障率ランクおよび残響音残存時間ランクは、「１」および「１」となる。加熱ローラー用モーターの故障率および残響音残存時間は、５０％および５０ｍｓであるため、残響音残存時間ランクおよび故障率ランクは、「５」および「２」となる。
【０１０７】
次に、残響音残存時間ランクと故障率ランクの和（ランク合計）が算出され、実行順序表１１５に登録される（ステップＳ１２４）。図１２に示される例においては、加圧ローラー用モーターのランク合計は、「１」となる。加圧ローラー圧着解除用モーターのランク合計は、「２」となる。加熱ローラー用モーターのランク合計は、「７」となる。
【０１０８】
そして、実行順序表１１５のランク合計が比較され、値が大きい順に実行順序が決定され、プロセスはリターンする。
【０１０９】
これにより、図１４に示される例のように、実行順序は、加熱ローラー用モーターが最初になり、次に、加圧ローラー圧着解除用モーター、そして、最後が、加圧ローラー用モーターとなる。なお、実行順序の決定は、実行順序表１１５を更新して実行する形態に限定されない。
【０１１０】
次に、故障診断処理（ステップＳ１９）を詳述する。
【０１１１】
図１５および図１６は、図１０に示される故障診断処理を説明するためのフローチャートおよび概略図である。
【０１１２】
まず、正常音データ１１８（図３）から故障部品候補の正常音が取得され（ステップＳ１４１）、そして、ステップＳ１７において集音（録音）された動作音と一致するか否かが判断される（図９）（ステップＳ１４１）。
【０１１３】
動作音と正常音が一致している判断される場合（ＹＥＳ：ステップＳ１４２）、故障部品候補は正常であるため、故障部品として登録されずに、プロセスはリターンする。一方、動作音と正常音が一致しておらず、故障していると判断される場合（ＹＥＳ：ステップＳ１４２）、故障部品候補は、故障部品として登録され（ステップＳ１４３）、プロセスはリターンする。
【０１１４】
この際、故障診断処理（動作音と一致するか否かの判断）が実行される故障部品候補の実行順序は、実行順序表１１５に基づいている。したがって、図１６に示される実行順序表１１５の場合、加熱ローラー用モーター、加圧ローラー圧着解除用モーター、加圧ローラー用モーターの順序で、動作音と一致するか否かの判断が実行される。
【０１１５】
この場合、加圧ローラー用モーター、加圧ローラー圧着解除用モーター、加熱ローラー用モーターの順序で実行される比較例に比較し、動作音と正常音との比較を概して迅速に実行することが可能である。
【０１１６】
なお、残響音測定処理（ステップＳ１１）、実行順序決定処理（ステップＳ１５）および故障診断処理（ステップＳ１９）においては、雑音である環境音が所定の音量以上であることを検出した場合、ユーザーに対して環境音の音量を下げさせるため、例えば、操作表示部１３０のタッチパネルに、環境音を消すことを依頼する旨のメッセージを表示することが好ましい。また、操作表示部１３０のタッチパネルに、ユーザーに対して音を立てないことを警告する旨のメッセージを表示することも好ましい。
【０１１７】
実行順序決定処理（ステップＳ１５）や故障診断処理（ステップＳ１９）を含んでいるステップＳ１４以下のステップは、画像形成装置１００の異常の検出に起因して自動的に決定される形態に限定されず、例えば、画像形成装置１００の異常が検出されていない場合であっても、ユーザーからの指示によって実行させることも可能である。つまり、実行のタイミングを、例えば、操作表示部１３０を利用してユーザーが指示できるように構成することも可能である。また、遠隔管理サーバーからの指示によって実行できるように構成することも可能である。
【０１１８】
次に、本実施の形態の変形例１〜３を順次説明する。
【０１１９】
図１７は、本発明の実施の形態に係る変形例１を説明するためのフローチャートである。
【０１２０】
変形例１は、故障部品候補に複数の故障部品が存在している場合を考慮している点で、図１０に示される実施の形態と異なっている。
【０１２１】
例えば、図１７に示されるように、まず、図１０のステップ１１〜Ｓ１９と略同一であるステップ３１〜Ｓ３９が実行されると（故障診断処理の実行後）、故障部品の登録の有無を判断することなく、次の故障部品候補の有無が判断される（ステップＳ４０）。
【０１２２】
そして、次の故障部品候補が存在している場合（ＹＥＳ：ステップＳ４０）、プロセスは、ステップ３６に進み、残りの故障部品候補に対し故障診断処理が実行される。
【０１２３】
一方、全ての故障部品候補に対する故障診断処理が完了し、次の故障部品候補が存在していない場合（ＮＯ：ステップＳ４０）、故障部品の登録の有無が判断される（ステップＳ４１）。
【０１２４】
故障部品が登録されている（故障部品候補が故障していた）と判断される場合（ＹＥＳ：ステップＳ４１）、故障部品が通知されて（ステップＳ４２）、プロセスは終了する。
【０１２５】
故障部品が登録されていない（故障部品が存在していない）と判断される場合（ＮＯ：ステップＳ４１）、異常発生の誤検出である旨のメッセージが通知されて（ステップＳ４３）、プロセスは終了する。
【０１２６】
以上のように、変形例１においては、全ての故障部品候補に対し故障診断処理が実行されるため、全ての故障部品が検出することが可能である。
【０１２７】
図１７は、本発明の実施の形態に係る変形例２を説明するための概略図である。
【０１２８】
故障診断においては、先の故障部品候補に係る残響音残存時間が経過した後で、次の故障診断に係る故障部品候補に対する動作開始指示が実行されるが、故障部品候補は、動作開始指示の受信直後においては、故障診断（作動音測定）可能な状態にない。つまり、故障部品候補の駆動開始直後（立ち上がり期間）は不安定であるため、起動時間経過後に作動音測定が実行される。
【０１２９】
したがって、先の故障部品候補に係る残響音残存時間が経過する時点の所定時間前に、次の故障部品候補に対する動作開始指示を実行しても、次の故障部品候補の起動時間経過時点において、先の故障部品候補に係る残響音残存時間が経過していれば、作動音測定に対して影響は及ぼされない。なお、所定時間は、起動時間に基づいて決定される。
【０１３０】
この場合、図１７に示されるように、次の故障部品候補の作動音測定までの時間を短くすることが可能である。なお、図１７においては、所定時間は、起動時間と同一としているが、特にこれに限定されず、残響音残存時間を考慮し、起動時間に基づいて適宜設定することが可能である。
【０１３１】
図１８および図１９は、本発明の実施の形態に係る変形例３を説明するための断面図および概略図である。
【０１３２】
作動音測定が相互に影響しない故障部品候補に関しては、故障診断（作動音測定）を同時（並行）に実行することも可能である。
【０１３３】
例えば、図１８に示される例においては、マイクロフォン１０５に加えて第２のマイクロフォン１０６が、加圧ローラー１６７の近傍に配置されている。マイクロフォン１０５は、加熱ローラー用モーター１６４に係る音を集音し、マイクロフォン１０６は、加圧ローラー用モーター１６８および加圧ローラー圧着解除用モーター１６９に係る音を集音するよう構成されており、マイクロフォン１０５によって集音される音と、マイクロフォン１０６によって集音される音と、は、相互に影響しないように設定されている。
【０１３４】
この場合、図２０に示されるように、故障診断（作動音測定）を迅速に実行することが可能である。
【０１３５】
以上のように、本実施の形態に係る画像形成装置および画像形成プログラムにおいては、故障診断の実行順は、負荷の個別駆動に起因して発生する音（残響音）を集音した結果に基づいて、決定される。そのため、故障部品検出精度を低下させることなく、故障診断を迅速に実行することができる。したがって、良好な故障部品検出精度を有しかつ部品故障に起因するダウンタイムを削減し得る画像形成装置および画像形成プログラムを提供することが可能である。
【０１３６】
本発明は、上述した実施の形態に限定されるものではなく、特許請求の範囲で種々改変することができる。例えば、画像形成装置は、ＭＦＰに限定されず、ファクシミリ装置や印刷専用のプリンターを適用することも可能である。また、実行順序決定のために、故障率および残響音残存時間の両方を考慮しているが、必要に応じて、残響音残存時間のみを利用することも可能である。さらに、変形例１〜３を、適宜組み合わせることも可能である。
【０１３７】
本発明に係る画像形成プログラムは、専用のハードウェア回路によっても実現することも可能である。また、画像形成プログラムは、ＵＳＢ（Ｕｎｉｖｅｒｓａｌ  Ｓｅｒｉａｌ  Ｂｕｓ）メモリやＤＶＤ（Ｄｉｇｉｔａｌ  Ｖｅｒｓａｔｉｌｅ  Ｄｉｓｃ）−ＲＯＭ（Ｒｅａｄ  Ｏｎｌｙ  Ｍｅｍｏｒｙ）などのコンピューター読み取り可能な記録媒体によって提供したり、記録媒体によらず、インターネットなどのネットワークを介してオンラインで提供したりすることも可能である。この場合、画像形成プログラムは、通常、記憶部を構成する磁気ディスク装置などの記憶装置に記憶される。また、画像形成プログラムは、単独のアプリケーションソフトウェアとして提供したり、一機能として別のソフトウェアに組み込んで提供したりすることも可能である。
【符号の説明】
【０１３８】
１００  画像形成装置、
１０５，１０６  マイクロフォン、
１１０  制御部、
１１２  記憶部、
１１３  画像形成プログラム、
１１４  異常コード表、
１１５  実行順序表、
１１６  故障率ランク表、
１１７  残響音残存時間ランク表、
１１８  正常音データ、
１１９  動作音データ、
１２０  画像読み取り部、
１２２  光源、
１２４  光学系、
１２６  撮像素子、
１２８  読取面、
１３０  操作表示部、
１４０  画像形成部、
１４０Ａ，１４０Ｂ，１４０Ｃ，１４０Ｄ  画像形成ユニット、
１４１  現像装置、
１４２  感光体ドラム、
１４３  帯電部、
１４５  光書込部、
１４８  クリーニング部、
１５０  転写部、
１５１  中間転写ベルト、
１５３  １次転写部、
１５３Ａ，１５３Ｂ，１５３Ｃ，１５３Ｄ  １次転写モジュール、
１５４  ２次転写部、
１６０  定着部、
１６２  定着ローラー、
１６３  加熱ローラー、
１６４  加熱ローラー用モーター、
１６５  定着ベルト、
１６７  加圧ローラー、
１６８  加圧ローラー用モーター、
１６９  加圧ローラー圧着解除用モーター、
１７０  用紙搬送部、
１７２  給紙部、
１７２Ａ，１７２Ｂ，１７２Ｃ  給紙トレイ、
１７３Ａ  送り出しローラー、
１７３Ｂ  さばきローラー、
１７４  レジストローラー、
１７５  定着搬送ローラー、
１７６  排紙ローラー、
１７８  用紙反転部、
１８０  通信インターフェース、
４００  コンピューター、
４５０  遠隔管理サーバー、
５００  情報端末、
５１０  表示部、
６００  アクセスポイント、
７００  ネットワーク、
Ｐ  用紙。
【図１】
2019197153.tif 000003
【図２】
2019197153.tif 000004
【図３】
2019197153.tif 000005
【図４】
2019197153.tif 000006
【図５】
2019197153.tif 000007
【図６】
2019197153.tif 000008
【図７】
2019197153.tif 000009
【図８】
2019197153.tif 000010
【図９】
2019197153.tif 000011
【図１０】
2019197153.tif 000012
【図１１】
2019197153.tif 000013
【図１２】
2019197153.tif 000014
【図１３】
2019197153.tif 000015
【図１４】
2019197153.tif 000016
【図１５】
2019197153.tif 000017
【図１６】
2019197153.tif 000018
【図１７】
2019197153.tif 000019
【図１８】
2019197153.tif 000020
【図１９】
2019197153.tif 000021
【図２０】
2019197153.tif 000022